(57)【要約】【課題】毛髪にハンドドライヤーの温風を当て、ヘアブラシに絡ませる毛髪がヘアブラシから外れることなく、施術で求めるヘアスタイル形成を可能にすることを提供する。【解決手段】ハンドドライヤーの温風によりヘアスタイルを形成しようとする毛髪を、ヘアブラシに絡ませ保持し、ハンドドライヤーの先端に植毛を施したブラシで、ヘアブラシに絡ませ保持した毛髪を押さえつけ、毛髪がヘアブラシから外れないように出来る。その結果、確実に毛髪の毛流形状を所望の形状にくせ付けする施術をすることができるようになる。【選択図】図３
2012179215.tif 000002
【特許請求の範囲】
【請求項１】
ドライヤーの吐出口に着脱自在に取り付けるアタッチメントにおいて、
矩形、楕円形若しくは長穴状のいずれかの形状、またはそれらを組合せた形状のアタッチメント吐出口と、
前記アタッチメント吐出口の長手側に設けられた植毛または櫛と、
を有することを特徴とするドライヤーアタッチメント。
【請求項２】
前記アタッチメント吐出口の短手側の少なくとも一の側に前記アタッチメント吐出口より突出した覆いを設けた請求項１に記載のドライヤーアタッチメント。
【請求項３】
前記植毛の材質が猪毛である請求項１または２に記載のドライヤーアタッチメント。
【請求項４】
矩形、楕円形若しくは長穴状のいずれかの形状、またはそれらを組合せた形状のドライヤー吐出口と、
前記ドライヤー吐出口の長手側に設けられた植毛または櫛と、
を有することを特徴とするドライヤー。
【請求項５】
前記ドライヤー吐出口の短手側の少なくとも一の側に前記ドライヤー吐出口より突出した覆いを設けた請求項４に記載のドライヤー。
【請求項６】
前記植毛の材質が猪毛である請求項４または５に記載のドライヤー。
【発明の詳細な説明】
【技術分野】
【０００１】
本発明は、毛髪の毛流形状を形成するためのドライヤーアタッチメント及びドライヤーに関する。
【背景技術】
【０００２】
従来、理美容院においては、毛髪に温風を当て、乾かす施術が行われる。そして、その毛髪を乾かす施術時に、毛髪の毛流形状をまっすぐにしたり、カールまたはウェーブにしたりするくせ付けを施す。一般的な施術では、片手にハンドドライヤーを持ち、ハンドドライヤーを持った手の反対の手でヘアブラシを持つ。そして、ヘアブラシで毛髪を絡ませ保持し、毛髪にハンドドライヤーの温風を当てながら、毛髪の毛流形状をまっすぐにしたり、カールまたはウェーブに形成したりする。
【０００３】
しかしながら、前述の施術時に、ヘアブラシに絡ませ保持した毛髪が、ヘアブラシから外れ、希望の毛流形状通り施術ができないことがある。特に、毛髪の毛先部分の施術の場合、ハンドドライヤーの風の影響と、ヘアブラシと毛髪の絡み抵抗が少ないことにより、ヘアブラシに絡ませた毛髪がヘアブラシから外れてしまい易く、非常に難しい施術といえる。
【０００４】
これらの問題を解決するために、毛髪を複数の櫛で挟み込みドライヤーの温風を当てる装置が提案されている（例えば特許文献１）。しかしながら、この装置では構成が複雑になりやすく、また、毛髪をカールまたはウェーブに形成するのには不向きである。
【先行技術文献】
【特許文献】
【０００５】
【特許文献１】特表２００９-５３７１８２号公報
【発明の開示】
【発明が解決しようとする課題】
【０００６】
本発明は上記の点に鑑みなされたもので、簡単な構成でありながら、毛髪の毛流形状を整える施術を容易に行えるドライヤーアタッチメント及びドライヤーを提供するものである。
【課題を解決するための手段】
【０００７】
請求項１の発明は、ドライヤーの吐出口に着脱自在に取り付けるアタッチメントにおいて、矩形、楕円形若しくは長穴状のいずれかの形状、またはそれらを組合せた形状のアタッチメント吐出口と、前記アタッチメント吐出口の長手側に設けられた植毛または櫛と、を有することを特徴とするドライヤーアタッチメントに係る。
【０００８】
請求項２の発明は請求項１に記載の発明において、前記アタッチメント吐出口の短手側の少なくとも一の側に前記アタッチメント吐出口より突出した覆いを設けたドライヤーアタッチメントに係る。
【０００９】
請求項３の発明は請求項１または２に記載の発明において、前記植毛の材質が猪毛であるドライヤーアタッチメントに係る。
【００１０】
請求項４の発明は、矩形、楕円形若しくは長穴状のいずれかの形状、またはそれらを組合せた形状のドライヤー吐出口と、前記ドライヤー吐出口の長手側に設けられた植毛または櫛と、を有することを特徴とするドライヤーに係る。
【００１１】
請求項５の発明は請求項４に記載の発明において、前記ドライヤー吐出口の短手側の少なくとも一の側に前記ドライヤー吐出口より突出した覆いを設けたドライヤーに係る。
【００１２】
請求項６の発明は請求項４または５に記載の発明において、前記植毛の材質が猪毛であるドライヤーに係る。
【発明の効果】
【００１３】
請求項１の発明は、ドライヤーの吐出口に着脱自在に取り付けるアタッチメントにおいて、矩形、楕円形若しくは長穴状のいずれかの形状、またはそれらを組合せた形状のアタッチメント吐出口と、前記アタッチメント吐出口の長手側に設けられた植毛または櫛と、を有するため、また、請求項４の発明は、矩形、楕円形若しくは長穴状のいずれかの形状、またはそれらを組合せた形状のドライヤー吐出口と、前記ドライヤー吐出口の長手側に設けられた植毛または櫛と、を有するため、簡単な構成でありながら、毛髪の毛流形状を整える施術を容易に行えるドライヤーアタッチメント及びドライヤーを提供できる。また、毛髪にハンドドライヤーの温風を当てる際、ヘアブラシに絡ませる毛髪がヘアブラシから外れることなく、施術で求めるヘアスタイル形成が可能である。
【００１４】
請求項２の発明は請求項１に記載の発明において、前記アタッチメント吐出口の短手側の少なくとも一の側に前記アタッチメント吐出口より突出した覆いを設けているドライヤーアタッチメントのため、また、請求項５の発明は請求項４に記載の発明において、前記ドライヤー吐出口の短手側の少なくとも一の側に前記ドライヤー吐出口より突出した覆いを設けているドライヤーのため、毛髪の毛流形状を形成するための施術時において、ドライヤーの温風が植毛または櫛を設けていない短手側から吹き出し、施術者の手が熱くなるのを防止することができる。
【００１５】
請求項３の発明は請求項１または２に記載の発明において、前記植毛の材質が猪毛であるドライヤーアタッチメントのため、また、請求項６の発明は請求項４または５に記載の発明において、前記植毛の材質が猪毛であるドライヤーのため、毛髪に優しい施術ができる。また、耐久性に優れた植毛を設けることができる。
【図面の簡単な説明】
【００１６】
【図１】ドライヤーを表す図
【図２】ドライヤーアタッチメントを表す図
【図３】ドライヤーアタッチメント（植毛）の斜視図
【図４】ドライヤーアタッチメントの（植毛）平面図
【図５】ドライヤーアタッチメント及び温風の流れを表す図
【図６】本発明の使用形態の例を表す図
【図７】ドライヤーアタッチメント（櫛）の斜視図
【発明を実施するための形態】
【００１７】
[構成]
先ず、ドライヤーアタッチメントの構成を以下に説明する。図２〜４，７に示すようにドライヤーアタッチメント１０は、アタッチメント吐出口１１と覆い１２と、植毛１３または櫛１５、さらにドライヤーとの接続口１８を有する。ドライヤーアタッチメント１０は接続口１８によりドライヤーの吐出口に着脱自在かつ回動可能に取り付けられる。
【００１８】
アタッチメント吐出口１１は、矩形、楕円形若しくは長穴状のいずれかの形状、またはそれらを組合せた形状をなしている。アタッチメント吐出口１１の縦横比は特に限定されないが、図６に示すような毛髪の毛流形状を形成するための施術をする際に、ヘアブラシ３１とドライヤーアタッチメント１０に毛髪３２を挟み込む観点から、図３，７に示すような細長い形状が好ましい。実施例では長穴のアタッチメント吐出口１１を採用している。ここで長穴とは一般的に２本の同じ長さの直線を平行に揃え、それぞれの相対する直線の端を直線がない方向に膨らむ円弧で接続した形状をいう。しかし、本発明の長穴状とは前述の長穴にとどまらず、例えば前述の円弧が三角形の二つの辺のみを切り出した形状、あるいは前述の円弧が正六角形の隣り合う３辺のみを切り出した形状、または樽型を細長くした形状等の近似する形状も含む。つまり、本発明の長穴状とは長穴に類似した形状全てを含むものとする。
【００１９】
ドライヤーアタッチメント１０の材質は特に制限されず、鉄、真鍮、ステンレス、アルミニウム等の金属、合成樹脂、木材等が使用できる。実施例では製作のし易さから合成樹脂を使用している。
【００２０】
図３，４，７に示すように、アタッチメント吐出口１１の長手側には植毛１３または櫛１５が設けられている。
【００２１】
植毛１３は植毛台座１４によってアタッチメント吐出口１１の長手側の近傍に、アタッチメント吐出口１１から吹き出される風の向きに略沿った方向に設けられる。植毛１３を設ける場所はアタッチメント吐出口１１の近傍であれば特に制限はされない。また、植毛１３の長さもアタッチメント吐出口より風の吹き出し方向に突出すれば特に制限はされない。実施例では植毛台座１４をアタッチメント吐出口の長手側の外側に設け、植毛１３の長さをアタッチメント吐出口１１から２ｍｍ〜２５ｍｍ突出させている。
【００２２】
植毛台座１４の固定方法はボルトとナット、リベット、接着等で固定する、または、植毛台座１４とドライヤーアタッチメント１０とを嵌め合わせる等の手段を使用できる。実施例ではボルトとナットを用いて固定している。なお、植毛１３を直にドライヤーアタッチメント１０に設けてもよい。植毛１３の材質には猪毛、豚毛、合成樹脂等が用いられる。実施例では、猪毛を使用している。
【００２３】
櫛１５は歯１６と櫛基部１７を有し、アタッチメント吐出口１１の長手側の近傍に、アタッチメント吐出口１１から吹き出される風の向きに略沿った方向に設けられる。櫛１５を設ける場所はアタッチメント吐出口１１の近傍であれば特に制限はされない。また、歯１６の長さもアタッチメント吐出口より風の吹き出し方向に突出すれば特に制限はされない。実施例では櫛１５をアタッチメント吐出口の長手側の外側に設け、歯１６の長さをアタッチメント吐出口１１から２ｍｍ〜２５ｍｍ突出させている。
【００２４】
櫛１５の固定方法は、櫛基部１７とドライヤーアタッチメント１０とをボルトとナット、リベット、接着等で固定する、または、櫛基部１７とドライヤーアタッチメント１０とを嵌め合わせる等の手段を使用できる。実施例ではボルトとナットを用いて固定している。なお、櫛１５とドライヤーアタッチメント１０を一体に成形してもよい。櫛１５の材質には、木材、竹材、金属、合成樹脂等が使用できる。実施例では、合成樹脂を使用している。
【００２５】
覆い１２は、アタッチメント吐出口１１の短手側の少なくとも一の側に前記アタッチメント吐出口１１より突出して設けられている。覆い１２は、アタッチメント吐出口１１の短手側を風の吐出方向に延長するような形状をしている。延長する長さは特に制限されないが、施術のし易さとドライヤーの風の制御の観点から、覆い１２のアタッチメント吐出口１１から最も離れた先端部分が、植毛１３の毛先または歯１６の先端と略揃う長さが好ましい。また、前記延長する長さはアタッチメント吐出口１１の長手方向の端に該当する部分が最も長く、長手方向の中央部に向かって行くに従いなだらかな曲線をもって次第に短くなり、植毛１３または歯１６が設けられている部分においては覆い１２はアタッチメント吐出口１１の縁より突出しなくなる態様が好ましい。
【００２６】
覆い１２は植毛台座１４、櫛１５と同様に公知の方法でドライヤーアタッチメント１０に取り付けても良いし、ドライヤーアタッチメント１０と一体に成形しても良い。覆い１２の材質には、木材、竹材、金属、合成樹脂等が使用できる。実施例では、合成樹脂を使用している。
【００２７】
次にドライヤーの構成を説明する。図１に示すように、ドライヤー２０は、本体部２１と吐出部２２を有する。
【００２８】
吐出部２２はドライヤー吐出口２３と覆い１２と、植毛１３または櫛１５、さらに図示しない円筒状の接続部を有する。本体部２１と吐出部２２は前記接続部によって接続される。また本体部２１と吐出部２２は互いに前記接続部の円周方向に人手により自在に回動することができる。
【００２９】
吐出部２２の各部の構成は上記ドライヤーアタッチメント１０と略同等であり、吐出部２２をドライヤーアタッチメント１０と、アタッチメント吐出口１１をドライヤー吐出口２３と読み替えることにより説明できるため記載を省略する。
【００３０】
[使用方法]
次に、ドライヤーアタッチメント１０、ドライヤー２０の使用方法を以下に説明する。片手にドライヤーアタッチメント１０を接続したドライヤー、またはドライヤー２０（以下、使用方法の説明においては「ハンドドライヤー３０」と称す。）を持つ。図６に示すように、ハンドドライヤー３０の温風を出しながら毛髪３２を植毛１３、櫛１５に絡ませる。そして、もう片方の手に市販のヘアブラシ３１を持ち、ハンドドライヤー３０とヘアブラシ３１に毛髪３２を挟み込む。
【００３１】
毛髪を挟み込んだ状態で、ハンドドライヤー３０及びヘアブラシ３１を毛髪３２の先端に向かって移動させる。または、必要に応じてヘアブラシを回転させる。このような施術によって、毛髪の毛流形状をまっすぐにする、カールまたはウェーブにする等が簡単に行える。
【００３２】
上記施術の際、ハンドドライヤーから吹き出される温風は、毛髪３２に遮られてアタッチメント吐出口１１またはドライヤー吐出口２３の、主に植毛１３または櫛１５を設けていない短手側に抜ける。そのままでは施術者の手等が熱くなるため、覆い１２を設けることにより図５に示すように温風の流れを制御することができる。覆い１２はアタッチメント吐出口１１またはドライヤー吐出口２３の短手側の少なくとも一の側に設けられれば所望の機能を果たすが、施術の態様によって、例えば毛髪３２を高温に保つ必要がある場合等には双方の短手側に設けることもできる。
【００３３】
さらに、施術の態様によっては薬液等を毛髪に塗布し、毛髪を濡らした状態で行う場合もある。そのような場合、櫛１５を備えたハンドドライヤーを使用することで使用後の器具の洗浄が容易に行えるという利点もある。
【００３４】
[その他の実施形態]
本考案は、上述した各実施例に限定されるものではなく、考案の趣旨を逸脱しない範囲において構成の一部を適宜に変更して実施することができる。例えば、ドライヤーアタッチメント１０の接続口にホース等を接続し、ドライヤー本体を持たずに作業すること等が可能である。また、植毛１３の密度、歯１６の粗さ、両者の長さ等を適宜変更することが可能である。
【符号の説明】
【００３５】
１０  ドライヤーアタッチメント
１１  アタッチメント吐出口
１２  覆い
１３  植毛
１４  植毛台座
１５  櫛
１６  歯
１７  櫛基部
１８  接続口
２０  ドライヤー
２１  本体部
２２  吐出部
２３  ドライヤー吐出口
３０  ハンドドライヤー
３１  ヘアブラシ
３２  毛髪
３３  温風の流れ
【図１】
2012179215.tif 000003
【図２】
2012179215.tif 000004
【図３】
2012179215.tif 000005
【図４】
2012179215.tif 000006
【図５】
2012179215.tif 000007
【図６】
2012179215.tif 000008
【図７】
2012179215.tif 000009